(57)【要約】  【課題】  流量検出手段で微少流量検出時、使用時間の制限時間を設定し器具の安全監視を行うガス遮断装置を提供する。  【解決手段】  流量検出手段１により流量を検出し、境界流量記憶手段３には検出した流量をどの流量区分かを判定するために流量域を流量区分毎、分割するために境界流量を記憶しており、使用時間判定手段４で流量検出手段で検出した流量が境界流量記憶手段３に格納された最小境界流量未満の場合、小流量判定手段５より使用時間の制限時間を使用時間判定手段４に設定し弱燃焼量器具を監視できるようにし制限時間経過時遮断信号を出力構成にしている。【選択図】  図１
2005077198.tif 000002
【特許請求の範囲】
【請求項１】
流量を検出する流量検出手段と、流路を遮断する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値とを比較して流量がどの流量区分かを判定して使用時間の制限時間を設定すると共に、使用時間を監視して制限時間が経過したら前記遮断手段に遮断信号を出力する使用時間判定手段と、検出した流量値が前記境界流量記憶手段の最小境界流量以下かどうかを判定して最小流量未満の時、使用時間の制限値を使用時間判定手段に設定する小流量判定手段とを備えたガス遮断装置。
【請求項２】
流量を検出する流量検出手段と、流路を遮断する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較して流量がどの流量区分かを判定して使用時間の制限時間を設定すると共に、使用時間を監視して制限時間が経過したら前記遮断手段に遮断信号を出力する使用時間判定手段と、検出した流量値が所定流量以下でかつ下限流量以上を検出時、使用時間の制限時間を使用時間判定手段に設定する下限流量判定手段とを備えたガス遮断装置。
【請求項３】
流量を検出する流量検出手段と、流路を遮断遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較して流量がどの流量区分かを判定して使用時間の制限時間を設定すると共に、使用時間を監視して制限時間が経過したら前記遮断手段に遮断信号を出力する使用時間判定手段と、検出した流量値が前記境界流量記憶手段の最小境界流量以下かどうかを判定して最小流量未満の時、使用時間の制限値を設定し使用時間をカウントする小流量監視手段と、前記小流量監視手段で使用時間経過時、遮断信号を出力するか警告信号を出力するかの切替手段と、前記警報信号を受けて警報を行う警報手段と、前記切替手段を遠隔より切替える通信設定手段とを備えたガス遮断装置。
【請求項４】
流量を検出する流量検出手段と、流路を遮断する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較して流量がどの流量区分かを判定して使用時間の制限時間を設定すると共に、使用時間を監視して制限時間が経過したら前記遮断手段に遮断信号を出力する使用時間判定手段と、検出した流量値が前記境界流量記憶手段の最小境界流量以下かどうかを判定し、最小流量未満の時、使用時間の制限値を使用時間判定手段に設定する小流量判定手段と、前記小流量判定手段で小流量を検出時通知し又小流量域で制限時間に達したのを検出すると通知する報知手段とを備えたガス遮断装置。
【請求項５】
流量を検出する流量検出手段と、流路を遮断する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較して流量がどの流量区分かを判定して使用時間の制限時間を設定すると共に、使用時間を監視し制限時間が経過したら前記遮断手段に遮断信号を出力する使用時間判定手段と、検出した流量値が前記境界流量記憶手段の最小境界流量以下かどうかを判定し、最小流量未満の時、使用時間の制限値を設定し使用時間をカウントする小流量監視手段と、前記小流量監視手段に、器具使用の異常警告信号を出力する制限時間及び使用時間の制限時間を設定する制限時間設定手段と、前記異常警告信号を受けて警告を行う警告手段を備えたガス遮断装置。
【請求項６】
請求項１〜５のいずれか１項記載の遮断装置の手段の全てもしくは一部としてコンピュータを機能させるためのプログラム。
【発明の詳細な説明】
【技術分野】
【０００１】
本発明は、都市ガスやＬＰガス等を利用するガス器具において、ガスによる爆発事故や火災事故、中毒事故等を未然に防止するガス遮断装置に関する。
【背景技術】
【０００２】
従来のこの種のガス遮断装置は、図６のような構成になっていた（例えば、特許文献１参照）。
【０００３】
図６において、２１は流量測定手段で、ガスメータを通過する流量を測定する。２２は遮断手段で、ガスメータの中に内蔵し電磁弁等からなりガス供給を遮断する。２３は遮断予告警報手段で、ガスの遮断を予告する。２４は個別流量推定手段で、流量測定手段２１で測定したガス流量に変化を検出した時、ガス器具の使用状態に変動があったものとしてその変化量に相当する個別流量を推定して、登録及び登録の抹消を行い、記憶する。２５は遮断時間制御手段で、記憶されている個別流量の内容に応じてガス流量の変化が認められていない状態が継続し得る限界の継続使用時間を設定し、この時間を経過したときに危険な状態が発生していると判断して遮断手段２２にガス遮断のための閉止信号を発すると共に、閉止信号を発する時間の一定時間前に遮断予告警報手段２３に警報信号を発する。
【０００４】
次に従来例の構成の動作を説明する。流量を計測して例えば３％以上の変化が認められれば個々のガス器具に相当する個別流量を推定して登録及び登録の抹消を行い、大きい順に記憶し、その最大のものに対する遮断時間及び遮断警報時間を設定する。遮断時間は（表１）のようになっている。
【０００５】
【表１】
2005077198.tif 000003
【０００６】
発熱量の異なるガス種（例えば、都市ガスで６Ｂならば５０００ｋｃａｌ／ｍ３、１３Ａならば１１０００ｋｃａｌ／ｍ３）も考慮して各ガス器具に相当するガス消費量区分にしてある。従って、最大個別流量に対する遮断時間を（表１）より参照するときはガス種によって予め設定しておいた単位流量当たりの発熱量を乗じて行うことになる。
【０００７】
なお、このように最大個別流量によって遮断時間を変えているのはガス給湯器のような大流量を要するものは使用時間を短く、ガスストーブのような小さい流量のものは使用時間が長いという使用実態と、未燃ガスであれば大流量になる程短い時間でも爆発する危険が増大することによるものである。
【０００８】
そして設定した遮断警報時間になったかどうか、及び設定した遮断時間になったかどうかを判断し、遮断警報時間に達した場合は危険な状況になりつつあると判断してガスの遮断予告警報を発し、遮断時間に到達したら危険な状態になっていると判断して遮断動作を行う。設定した遮断警報時間、遮断時間に達する前に流量の変化が認められた場合は再度個別流量の推定をやり直す。このとき、個別最大流量のものが入れ替わった時は、この新たな最大個別流量に対応する遮断時間、遮断警報時間を設定しなおす。このように最大個別流量に入れ替わりがなくとも流量に変化があれば継続時間の計測をやり直すのは、流量の変化がある限り別のガス器具が新たに使用開始されたか、使用停止されたかであり、ガスが正常に使用されていると判断されるからである。
【０００９】
通常器具使用流量は５００ｋｃａｌ／ｈ以上で使用時間の制限時間が設定されており、５００ｋｃａｌ／ｈ未満では使用時間遮断の対象外となり使用時間遮断判定を行わない。
【特許文献１】特許第３１６９５９４号公報
【発明の開示】
【発明が解決しようとする課題】
【００１０】
しかしながら前記従来の構成では、下記課題があった。近年ガスコンロやガステーブルや、ガスファンヒータ等の燃焼能力が向上し下限流量が５００ｋｃａｌ／ｈ以下まで制御できている。例えばガスコンロやガステーブル等で煮炊き時に使用する弱火やとろ火といった流量は２５０〜３００ｋｃａｌ／ｈであり、従来の使用時間遮断対象外の低流量であり、需要家がこの低流量を使用開始した後、鍋等をガステーブル等にかけたまま買物などにでかけ、鍋をかけたままであることを忘れてしまい、結果鍋内部の水分が蒸発し焦げて、高温となり煙をだしたり、異常加熱状態に陥るのを防止できないという課題を有していた。
【００１１】
本発明は前記従来の課題を解決するもので、ガス使用量が微少流量においても安全性の高いガス遮断装置を提供することを目的としたものである。
【課題を解決するための手段】
【００１２】
前記従来の課題を解決するために本発明は、流量を検出する流量検出手段と、流量を停止する遮断手段と、流量検出手段が検出した流量値を使用時間監視するためどの流量区分かを判定するための境界流量を設定する境界流量記憶手段と、流量検出手段で検出した流量と境界流量記憶手段に格納された境界流量値と比較しどの流量区分かを判定し使用時間の制限時間を設定し使用時間を監視し制限時間が経過時遮断手段に遮断信号を出力する使用時間判定手段と、検出した流量値が境界流量記憶手段で最小境界流量以下かどうかを判定し最小流量未満の時使用時間の制限値を使用時間判定手段に設定する小流量判定手段とよりなる構成にしている。
【００１３】
このことにより、流量検出手段で検出した流量値が使用時間遮断の対象となるような最小境界流量未満の流量区分以下の場合、即ち小流量判定手段で最小境界流量以下と判定した場合最小流量に対応した使用時間の制限時間を使用時間判定手段に設定し使用時間監視し、所定時間を超えた時、遮断信号を遮断手段に出力しガス供給を停止することによりガス需要家が誤って弱火で煮炊きをしているのを忘れて他の家事に夢中になっていても、遮断することでガス需要家に危険に至る前に通知でき、安全性や信頼性が向上する。
【発明の効果】
【００１４】
以上説明したように本発明によれば、流量を検出する流量検出手段と、前記流量検出手段が検出した流量値を使用時間監視するためどの流量区分かを判定するための境界流量を設定する境界流量記憶手段と、前記流量検出手段で検出した流量と前記境界流量記憶手段に格納された境界流量値と比較し使用時間遮断対象外の流量かどうかを判定する使用時間判定手段と、検出した流量値が更に所定流量以下かどうかを判定し前記小流量判定手段より最小境界流量以下を検出時使用時間の制限時間を出力する小流量判定手段とを設けており、需要家が煮炊き等で器具を使用開始し、その使用流量を流量検出手段で検出しその流量値が使用時間遮断の対象とならない小さい流量の場合、即ち使用時間遮断対象の流量記憶値と検出流量とを比較して対象外と判定しても、更に小流量判定手段で所定流量以下と検出時使用時間判定手段に制限時間の設定値を出力し器具使用を監視すると共に最悪遮断時ガス事業者の保安センタに異常通知信号を出力することにより、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、センタより需要家に通報したり、直接かけつけ緊急遮断等の所定の保安対策がとれたり、極めて安全性や信頼性が向上する効果がある。
【発明を実施するための最良の形態】
【００１５】
請求項１に記載の発明は、流量を検出する流量検出手段と、流量を停止する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較しどの流量区分かを判定し使用時間の制限時間を設定し使用時間を監視し制限時間が経過時前記遮断手段に遮断信号を出力する使用時間判定手段と、検出した流量値が前記境界流量記憶手段で最小境界流量以下かどうかを判定し最小流量未満の時使用時間の制限値を使用時間判定手段に設定する小流量判定手段とからなる。
【００１６】
そして、需要家が煮炊き等で器具を使用開始し、その使用流量を流量検出手段で検出しその流量値が通常のガス器具の使用時間遮断の対象とならない小さい流量の場合、即ち使用時間遮断対象の境界流量記憶値と検出流量とを比較して対象外と判定し、更に小さな所定流量以下と小流量判定手段で検出時微少流量に対応した使用時間の制限時間を使用時間判定手段に設定して時間監視し所定時間超えた場合遮断出力を行い、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、又遮断情報をセンタに通報することによりセンタより需要家に通報したり、直接かけつけ保安対策がとれたり、極めて安全性や信頼性が向上する。
【００１７】
請求項２に記載の発明は、流量を検出する流量検出手段と、流量を停止する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較しどの流量区分かを判定し使用時間の制限時間を設定して使用時間を監視し制限時間が経過時前記遮断手段に遮断信号を出力する使用時間判定手段と、検出した流量値が更に所定流量以下かどうかを判定し下限流量以上を検出時使用時間の制限時間を使用時間判定手段に設定する下限流量判定手段とからなる。
【００１８】
そして、需要家が保有するガス器具で口火機能付の給湯器や燃焼量を小さく絞れるガステーブル等がある場合、口火のみがついている場合と煮炊き等で器具を使用する場合とを区別する必要があり、煮炊き等で器具を使用開始すると、その使用流量を流量検出手段で検出しその流量値が使用時間遮断の対象とならない小さい流量の場合、即ち使用時間遮断対象の流量記憶値と検出流量とを流量区分判定手段で比較して流量区分判定を行い所定流量区分以下と判定後、下限流量判定手段で更に小さな所定流量と比較し所定流量以上と判定時使用時間の制限時間値を設定して時間監視を行い異常な使用時間に達したら遮断することにより、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、センタより需要家に通報したり、直接かけつけ保安対策ととれたり、極めて安全性や信頼性が向上する。
【００１９】
請求項３に記載の発明は、流量を検出する流量検出手段と、流量を停止する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較しどの流量区分かを判定し使用時間の制限時間を設定し使用時間を監視し制限時間が経過時前記遮断手段に遮断信号を出力する使用時間判定手段と、検出した流量値が前記境界流量記憶手段で最小境界流量以下かどうかを判定し最小流量未満の時使用時間の制限値を設定し使用時間をカウントする小流量監視手段と、前記小流量監視手段で使用時間経過時遮断信号を出力するか警告信号を出力するかの切替手段と、前記警報信号を受けて警報を行う警報手段と、前記切替手段を遠隔より切替える通信設定手段とからなる。
【００２０】
そして、需要家が保有するガス器具は需要家毎さまざまであり、口火機能付の大型の給湯器を主として使用したり、或いは需要家が煮炊き等で器具を使用したり、ストーブ等で部屋が暖まり燃焼量を絞って使用する場合等があり、予め事業者が需要家の保有ガス器具より判断し通信設定手段により切替手段で小流量検出時使用時間より遮断機能か警告機能かを選択でき、もし遮断機能側に選択した場合、その使用流量を流量検出手段で検出しその流量値が使用時間遮断の対象とならない小さい流量の場合、即ち使用時間遮断対象の流量記憶値と検出流量とを流量区分判定手段で比較して流量区分判定を行い所定流量区分以下と判定後、使用時間の制限時間を設定し使用時間計測開始し、所定時間が経過したならば遮断信号を出力し、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、又口火流量程度の小流量の場合特に遮断させる必要はなく器具の使用時間監視を行い器具メンテナンス等の情報管理に使用することができ、極めて使い勝手、安全性や信頼性が向上する。
【００２１】
請求項４に記載の発明は、流量を検出する流量検出手段と、流量を停止する遮断手段と、前記流量検出手段が検出した流量値がどの流量区分かを判定するための境界流量を設定する境界流量記憶手段と、前記流量検出手段で検出した流量と前記境界流量記憶手段に格納された境界流量値と比較しどの流量区分かを判定し使用時間の制限時間を設定し使用時間を監視し制限時間が経過時前記遮断手段に遮断信号を出力する使用時間判定手段と、検出した流量値が前記境界流量記憶手段で最小境界流量以下かどうかを判定し最小流量未満の時使用時間の制限値を使用時間判定手段に設定する小流量判定手段と、前記小流量判定手段で小流量を検出後所定時間経過後通知し又小流量域で制限時間に達したのを検出すると通知する報知手段とからなる。
【００２２】
そして、需要家が煮炊き等で器具を使用したり、ストーブ等で部屋が暖まり燃焼量を絞って使用した場合、その使用流量を流量検出手段で検出しその流量値が使用時間遮断の対象とならない小さい流量の場合、即ち使用時間遮断対象の流量記憶値と検出流量とを流量区分判定手段で比較して流量区分判定を行い所定流量区分以下と判定後、下限流量判定手段で更に小さな所定流量と比較し所定流量以上と判定時小流量時間計測手段により時間計測開始し、通常の使用時間遮断の制限時間よりかなり短い所定時間が経過したならばガス事業者の保安センタに警告信号を出力することにより、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、センタより需要家に通報したり、最終遮断した場合通報がセンタにあがるので直ちに直接かけつけ保安対策ととれたり、極めて安全性や信頼性が向上する。
【００２３】
請求項５に記載の発明は、流量を検出する流量検出手段と、流量を停止する遮断手段と、前記流量検出手段が検出した流量値を使用時間監視するためどの流量区分かを判定するための境界流量を設定する境界流量記憶手段と、前記流量検出手段で検出した流量と前記境界流量記憶手段に格納された境界流量値と比較しどの流量区分かを判定し使用時間の制限時間を設定し使用時間を監視し制限時間が経過時前記遮断手段に遮断信号を出力する使用時間判定手段と、検出した流量値が前記境界流量記憶手段で最小境界流量以下かどうかを判定し最小流量未満の時使用時間の制限値を設定し使用時間をカウントする小流量監視手段と、前記小流量監視手段に器具使用の異常警告信号を出力する制限時間及び使用時間の制限時間を設定する制限時間設定手段と、前記異常警告信号を受けて警告を行う警告手段からなる。
【００２４】
そして、需要家が保有するガス器具は需要家毎さまざまであり、口火機能付の大型の給湯器を主として使用したり、或いは需要家が煮炊き等で器具を使用したり、ストーブ等で部屋が暖まり燃焼量を絞って使用する場合等があり、予め制限時間定手段により小流量検出時器具の異常使用時間より警告通知を行う短い警告時間を設定し、更に警告通知がなされ事業者より需要家に器具確認或いは器具停止の連絡に対し需要家が忘れた場合遮断させる制限時間が小流量監視手段に設定され、その使用時間監視がなされると共に、使用時間の制限時間が経過したならば遮断信号を出力し、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、極めて使い勝手、安全性や信頼性が向上する。
【００２５】
請求項６に記載の発明は、請求項１〜５のいずれか１項記載のガス遮断装置の手段の全てもしくは一部をコンピュータに実行させるためのプログラムである。
【００２６】
そして、プログラムであるのでマイコン等を用いて本発明の遮断装置の一部あるいは全てを容易に実現することができる。また記録媒体に記録したり通信回線を用いてプログラムを配信したりすることでプログラムの配布やインストール作業が簡単にできる。
【実施例】
【００２７】
以下、本発明の実施例について、図１、図２、図３、図４及び図５を参照して説明する。図１、図２、図３、図４及び図５において、図６と同一機能を有する構成要素に関しては同一符号を付した。
【００２８】
（実施例１）
図１は本発明の第１の実施例のガス遮断装置で、１は流量検出手段で、例えば膜式メータにおいてはガス計量毎にパルス信号を出力したり、超音波を用いた流量計測の場合伝搬時間を計測し瞬時流量値を出力したり、熱線式は流れる流量により上流・下流側の感知抵抗が変化しその抵抗値変化を検出し瞬時流量として出力したり、フルイディックメータ等ではコアンダ効果による流体の発信周波数を検出し瞬時流量として出力する場合等があり、ガス器具の使用量を計測し流量信号を出力する。２は遮断手段で、例えばソレノイド式電磁弁やモータ駆動式弁からなり、流量検出手段１より出力される流量値が所定流量以上の場合、遮断信号が出力されガス供給を停止する。３は境界流量記憶手段で、流量検出手段１で検出した流量値と比較される流量値であり、監視する流量域（例えばＬＰガスで家庭用の場合、５００ｋｃａｌ／ｈ〜６０，０００ｋｃａｌ／ｈ）を所定流量区分毎に分割し、各々の流量区分毎に対応した使用時間制限時間値を設定するための境界流量値を記憶している。４は使用時間判定手段で、流量検出手段１で検出した流量値と境界流量記憶手段３に格納された使用時間遮断の流量区分毎の境界流量値の器具流量かどうかを判定する境界流量値とを比較し、使用時間遮断の境界流量以下かどうかを判定し、検出流量に対応した使用時間の制限時間を設定し使用時間をカウントする。所定の制限時間が経過すると、器具の長時間異常使用と判定して、遮断手段２に遮断信号を出力しガス供給を停止する。５は小流量判定手段で、検出流量と境界流量記憶手段の最小流量とを比較し最小流量と判定時使用時間遮断の最下限の境界流量以下かどうかを判定する。低流量器具、例えばガステーブルやガスコンロ等の弱火機能の性能が改善されて通常の遮断流量以下の小流量域かを識別するための下限流量が設定されており、その下限流量以下かどうかを判定し、該当の小流量域の場合対応した使用時間の制限時間を使用時間判定手段４に設定する。６は通信手段で、使用時間判定手段４で制限時間経過を検出し遮断信号を出力したり、小流量判定手段５で境界流量以下を検出し所定の使用時間の制限時間が経過すると遮断信号が出力されるが、ガス事業者の保安センタへ、ＴＮＣＵ、電話回線（図示せず）等の通信手段を介して、遮断事象信号を送信する。又通信手段６等により使用時間判定手段４や小流量判定手段５の使用時間遮断の制限時間を可変設定できる。
【００２９】
次に上記構成の動作を説明する。ガス遮断装置はガス需要家のガス器具使用状態を監視し、異常な長時間使用に達していないかどうかを判定する。ガス需要家の保有ガス器具で、ガステーブル、ガスストーブ等調理や、住環境の快適な室温制御に大燃焼量から、小燃焼量へ自動制御、或いは手動で調節可能な器具が増加すると共に、性能が向上してきている。このようなガス器具の使用状態を流量検出手段１で検出する。流量検出手段１で給湯器等の大流量域から、ガステーブルやストーブ等の小流量迄調節できる器具の流量域まで計測する。特にガスストーブ等長時間暖房するために通常の使い勝手と、もし万が一ガス漏れを起こした場合爆発事故を起こさないように使用時間の制限時間が決められている。その為に全流量域を１３区分に区分し、各々の流量区分毎遮断時間を設定するがその流量区分毎の境界流量が境界流量記憶手段３に格納されている。
【００３０】
そして流量検出手段１で流量検出すると使用時間判定手段４で、検出流量と境界流量記憶手段３の境界流量とを比較し、どの流量区分かを判定する。流量が５００ｋｃａｌ／ｈ未満の場合、境界流量記憶手段３では使用時間遮断の対象外となるが、小流量判定手段５の境界流量以下かどうかを確認し、使用時間の制限時間を設定し使用時間をカウント開始する。ガステーブル等の調理器具の性能が向上し５００ｋｃａｌ／ｈ未満の弱燃焼量で安定した性能が出るような器具が開発されており、小流量判定手段５で所定流量以下を検出すると使用時間の制限時間を使用時間判定手段４に設定し制限時間が経過すると遮断手段２に遮断信号を出力しガス供給を停止する。通信手段６はガス需要家に遮断通報信号を出力したり、或いは電話回線などを介してガス事業者のセンタに遮断通知を行う。それにより事業者が保安の為の出動をしたり、或いはセンタより器具閉栓等確認後遮断手段２の開制御する通信信号を送り、安全使用状態を回復することができる。
【００３１】
もし流量検出手段１で検出した流量が５００ｋｃａｌ／ｈ以上の場合、使用時間判定手段４で流量区分が判定され、使用時間判定手段４で流量域に応じ使用時間遮断の制限時間が設定されカウントされる。制限時間が経過すると遮断手段２を駆動しガス供給を停止する。
【００３２】
このようにして需要家が煮炊き等でガス器具を使用する場合、調理手順でとろ火或いは弱火といった煮込みを行うプロセスがあり使用流量値は極めて小さく、その使用流量を流量検出手段１で検出しその流量値が通常の使用時間遮断の対象とならない小さい流量の場合でも、小流量判定手段５で境界流量以下の小流量を検出時使用時間判定手段４に制限時間を設定し使用時間を監視して所定時間が経過したら遮断することにより、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、又ガス事業者の保安センタに遮断通知通信信号を出力することにより、直接かけつけ保安対策がとれたり、極めて安全性や信頼性が向上する。
【００３３】
（実施例２）
図２は本発明の第２の実施例のガス遮断装置である。図２において、図１、図３、図４、図５及び図６と同一機能を有する構成要素には同一符号を付し説明は省略する。
【００３４】
図２は本発明の第２の実施例のガス遮断装置で、７は下限流量判定手段で、流量検出手段１で検出した流量値と境界流量記憶手段３に格納された使用時間遮断の流量区分毎の最小の境界流量値、例えば５００ｋｃａｌ／ｈと比較しどの流量区分に属さない最小流量５００ｋｃａｌ／ｈの場合、更に下限流量の判定値、例えば２００ｋｃａＬ／ｈを有し弱燃焼量の器具流量以上かどうかを判定し、口火流量とは識別し、使用時間の制限時間を使用時間判定手段４に設定する。
【００３５】
次に上記構成の動作を説明する。ガス遮断装置はガス需要家のガス器具使用状態を監視し、異常な長時間使用に達していないかどうかを判定する。ガス需要家の保有ガス器具で、ガステーブル、ガスストーブ等調理や、住環境の快適な室温制御に大燃焼量から、小燃焼量へ自動制御、或いは手動で調節可能な器具が増加すると共に、性能が向上してきている。このようなガス器具の使用状態を流量検出手段１で検出する。流量検出手段１で給湯器等の大流量域から、ガステーブルやストーブ等の小流量迄調節できる器具の流量域まで計測する。特にガスストーブ等長時間暖房するために通常の使い勝手と、もし万が一ガス漏れを起こした場合爆発事故を起こさないように使用時間の制限時間が決められている。その為に全流量域を１３区分に区分し、各々の流量区分毎遮断時間を設定するがその流量区分毎の境界流量が境界流量記憶手段３に格納されている。
【００３６】
そして流量検出手段１で流量検出すると使用時間判定手段４で、検出流量と境界流量記憶手段３の境界流量とを比較し、どの流量区分かを判定する。流量が５００ｋｃａｌ／ｈ未満の場合、境界流量記憶手段３では使用時間遮断の対象外となり使用時間の制限時間が設定されないが、下限流量判定手段７は５００ｋｃａｌ／ｈ未満の流量域で更に口火流量など流量域か、ガステーブル等の器具の弱燃焼時の微少流量かの境界判定流量を有している。その下限流量以上かどうかを確認し、使用時間の制限時間を設定し使用時間をカウント開始する。ガステーブル等の調理器具の性能が向上し、例えば、おでん、シチュー等の煮込み料理、或いは正月料理のゴマメ等に３００ｋｃａＬ／ｈ程度の弱燃焼量で長時間料理することが可能であり、５００ｋｃａｌ／ｈ未満の弱燃焼量で安定した性能が出るような器具が開発されている。そこで流量検出手段１で検出した流量を下限流量判定手段５で境界流量記憶手段３の最小境界流量より少なく、かつ所定流量以上と判定時、使用時間判定手段４に器具使用時間の制限時間を設定し、時間監視を開始し制限時間が経過すると遮断手段２に遮断信号を出力しガス供給を停止する。
【００３７】
また、口火機能付給湯器等の場合、口火流量事態が１００〜１５０ｋｃａｌ／ｈと更に小さい流量となる。下限流量判定手段７で例えば判定値として２００ｋｃａｌ／ｈ未満かどうかで判定しており、口火流量か否かを監視し、この場合使用時間判定手段４には制限時間などは出力しない。通常この流量位になると器具自体が外置きであり、失火していても爆発等の危険度がかなり低く、器具メンテナンスで発見可能である。
【００３８】
通信手段６はガス需要家に遮断通報信号を出力したり、或いは電話回線などを介してガス事業者のセンタに遮断通知を行う。それにより事業者が保安の為の出動をしたり、或いはセンタより器具閉栓等確認後遮断手段２の開制御する通信信号を送り、安全使用状態を回復することができる。
【００３９】
もし流量検出手段１で検出した流量が５００ｋｃａｌ／ｈ以上の場合、使用時間判定手段４で流量区分が判定され、使用時間判定手段４で流量域に応じ使用時間遮断の制限時間が設定されカウントされる。制限時間が経過すると遮断手段２を駆動しガス供給を停止する。
【００４０】
このようにして需要家が煮炊き等でガス器具を使用する場合、調理手順でとろ火或いは弱火といった煮込みを行うプロセスがあり使用流量値は極めて小さく、その使用流量を流量検出手段１で検出しその流量値が通常の使用時間遮断の対象とならない小さい流量の場合でも、下限流量判定手段７で境界流量以下の小流量と口火流量等とを区別可能で下限流量以上を検出時、使用時間判定手段４で制限時間を設定し使用時間を監視し所定時間が経過したら遮断することにより、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、又ガス事業者の保安センタに遮断通知通信信号を出力することにより、直接かけつけ保安対策がとれたり、極めて安全性や信頼性が向上する。
【００４１】
（実施例３）
図３は本発明の第３の実施例のガス遮断装置である。図３において、図１、図２、図３、図４、図５及び図６と同一機能を有する構成要素には同一符号を付し説明は省略する。
【００４２】
図３は本発明の第３の実施例のガス遮断装置で、８は小流量監視手段で、流量検出手段１と境界流量記憶手段３の最小境界流量とを比較し最小流量以下通常の器具の流量区分域（通常は流量区分２以上）ではないと判定（流量区分１）し、使用時間の制限時間を設定し、器具の使用時間をカウントしつつ監視する。９は切替手段で、小流量監視手段８で使用時間カウントし、制限時間を超えた場合、遮断信号を出力するか、警告信号を出力するかを切り替える。１０は警告手段で、切替手段９で制限時間を超えると警告信号を出力され、ＬＣＤやＬＥＤ等の表示器を用いて器具の異常使用状態を表示するとともに、ガス事業者のセンタへ電話回線などを利用して長時間使用の警告信号を通知する。１１は通信設定手段で、ガス事業者のセンタより各ガス需要家の保有器具や器具の使い方より小流量監視手段８の監視流量域（境界流量判定手段３の最小流量域未満）の流量の使用時間より遮断するか、警告信号を出力するか選択する信号を通信電文などで出力する。一方、遮断時、或いは警告時事業者センタへその器具の使用状態を通知する。
【００４３】
次に上記構成の動作を説明する。ガス遮断装置はガス需要家のガス器具使用状態を監視し、異常な器具使用をしていないか、使用流量及び使用時間等を監視している。ガス需要家の保有ガス器具でガステーブルやガスストーブ等、調理や住環境の快適な室温制御に大燃焼量から小燃焼量へ自動制御、或いは調理状態をみて手動で燃焼量調節であるが、燃焼量即ちガス量の調節・使用可能範囲が広がり性能が向上してきている。このガス器具の使用状態を流量検出手段１で検出する。流量検出手段１で給湯器等の大流量域から、ガステーブルやストーブ等の小流量迄調節できる器具の流量域まで計測する。特にガスストーブ等長時間暖房するために通常の使い勝手と、もし万が一ガス漏れを起こした場合爆発事故を起こさないように使用時間の制限時間が決めている。その為に全流量域を１３区分に区分し、各々の流量区分毎使用時間の制限時間を設定するがその流量区分毎の境界流量が境界流量記憶手段３に格納されている。
【００４４】
そして流量検出手段１で器具の流量を検出すると使用時間判定手段４で、検出流量と境界流量記憶手段３の境界流量とを比較し、どの流量区分かを判定する。流量が５００ｋｃａｌ／ｈ未満の場合、使用時間遮断の対象外となるが（表１の流量区分１）、その場合更に流量区分１の流量域を監視する境界流量判定値を設け、小流量監視手段８で流量区分１の流量判定値以下かどうかを確認する。ガステーブル等の調理器具の性能が向上し５００ｋｃａｌ/ｈ未満の弱燃焼量で安定した性能が出るような器具が開発されており、いわゆるとろ火でじっくりと煮込むような調理のために最小の燃焼量に絞って使用する場合がある。このとろ火状態が５００ｋｃａｌ／ｈ未満、流量区分２未満で流量区分１流量域の流量であることを検出時、小流量監視手段８が使用時間をカウント開始する。カウント開始後、煮込み等で所定時間以上使用したのを検出すると使用時間経過信号を切替手段９に出力する。切替手段９は予め通信設定手段１１等で、その出力が遮断信号を出力するか、警告信号を出力するか選択できる。通信設定手段１１より警告信号出力側に切替えられていたならば警告手段１０に警告信号を出力し、遮断信号出力側に選択されていた場合遮断手段２に遮断信号を出力する。
【００４５】
ガス需要家が比較的高年齢層で特に煮込みのような小流量域を使うことが多い場合、切替手段９で遮断側に通信設定手段１１で設定する。需要家がガステーブルの前を離れて、他の家事を行ったり、最悪そのままにして外出し忘れることがある。結果ガステーブルにかけた鍋内の水分が蒸発し焦げて加熱されつづけ、もうもうたる煙を出すことがある。こうしたことを防止するために、制限時間経過時遮断することにより防止可能である。
【００４６】
一方、流量区分１で使用するガス器具を保有していなかったり、或いは比較的若いガス需要家で流量区分１を使用する頻度が少ない場合、切替手段９で警告手段１０側に設定しておくことができる。年間通して極めて稀な煮物料理等をされた場合でも小流量監視手段８でこの流量域を検出し所定時間が経過すると警告手段１０はガス需要家に器具長時間使用の警報信号を出力したり、或いは電話回線などを介してガス事業者のセンタに警告通知を行う。それにより事業者が保安の為の出動をしたり、或いはセンタより最悪遮断手段２を遮断制御する遠隔通信信号を送り、安全使用状態を確保することができる。
【００４７】
小流量域検出の使用時間は通常の煮込み料理などを想定した時間であり、遮断判定時に用いるような長時間だと鍋を焦がしたり高温状態となり煙をだしてしまうが、そのような長時間でないため需要家に速く警告できる。
【００４８】
一方、流量検出手段１で検出した流量が５００ｋｃａｌ／ｈ以上の場合、即ち境界流量判定手段３の境界流量と検出流量とを比較して流量区分２以上と判定した場合、使用時間判定手段４で流量域に応じ使用時間遮断の制限時間が設定されカウントされる。制限時間が経過すると、万が一ガス漏れの場合危険であり遮断手段２を駆動しガス供給を停止する。
【００４９】
このようにして需要家が煮炊き等でガス器具を使用する場合、調理手順でとろ火或いは弱火といった煮込みを行うプロセスがあり使用流量値は極めて小さく、かつ長い時間かけて煮込むが、その使用流量を流量検出手段１で検出しその流量値が使用時間遮断の対象とならない小さい流量の場合、即ち使用時間遮断対象の流量記憶値と検出流量とを比較して対象外と判定されても、小流量監視手段８で使用時間の制限時間を設定し、制限時間に達すると通信設定手段１１で予め選択した信号により切替手段９は遮断手段２へ遮断信号か、或いは警告手段１０に警告信号を出力することにより、ガス需要家の異常な器具使用に対し遮断したり、又ガス需要家やガス事業者の保安センタに警告信号を出力することにより、需要家が鍋をガステーブルにかけたまま、洗濯などの他家事に専念し鍋を焦がすような異常使用状態なるのを防止すると共に、特に天ぷらなどを揚げている最中に長時間電話等に没頭され蒸発した油に引火して火災になることなく、センタより需要家に通報したり、直接かけつけ保安対策がとれたり、極めて安全性や信頼性が向上する。
【００５０】
（実施例４）
図４は本発明の第４の実施例のガス遮断装置である。図４において、図１、図２、図３、図５及び図６と同一機能を有する構成要素には同一符号を付し説明は省略する。
【００５１】
図４は本発明の第４の実施例のガス遮断装置で、１２は第１の通報手段で、小流量判定手段５で、流量検出手段１で検出した流量値と境界流量記憶手段３に格納された使用時間遮断の流量区分毎の最小の境界流量値、例えば５００ｋｃａｌ／ｈと比較しどの流量区分に属さない最小流量５００ｋｃａｌ／ｈ未満を検出すると、ガス事業者やガス需要家に器具使用開始の通報を行う。１３は第２の通報手段で、小流量判定手段５で流量区分１の小流量域を検出後、制限時間経過した場合に遮断信号を出力すると共にガス事業者に異常通報を行う。
【００５２】
次に上記構成の動作を説明する。ガス遮断装置はガス需要家のガス器具使用状態を監視し、異常な長時間使用に達していないかどうかを判定する。ガス需要家の保有ガス器具で、ガステーブル、ガスストーブ等調理や、住環境の快適な室温制御に大燃焼量から、小燃焼量へ自動制御、或いは手動で調節可能な器具が増加すると共に、性能が向上してきている。このようなガス器具の使用状態を流量検出手段１で検出する。流量検出手段１で給湯器等の大流量域から、ガステーブルやストーブ等の小流量迄調節できる器具の流量域まで計測する。特にガスストーブ等長時間暖房するために通常の使い勝手と、もし万が一ガス漏れを起こした場合爆発事故を起こさないように使用時間の制限時間が決められている。その為に全流量域を１３区分に区分し、各々の流量区分毎遮断時間を設定するがその流量区分毎の境界流量が境界流量記憶手段３に格納されている。
【００５３】
そして流量検出手段１で流量検出すると使用時間判定手段４で、検出流量と境界流量記憶手段３の境界流量とを比較し、どの流量区分かを判定する。流量が５００ｋｃａｌ／ｈ未満の場合、境界流量記憶手段３では使用時間遮断の対象外となるが、小流量判定手段５の境界流量以下かどうかを確認し、使用時間の制限時間を設定し使用時間をカウント開始する。この時、第１の通報手段１２によりガス事業者やガス需要家に５００ｋｃａｌ／ｈ未満の流量、弱燃焼量で器具使用開始を通知する。更に使用時間の制限時間を使用時間判定手段４に設定する。ガステーブル等の調理器具の性能が向上し５００ｋｃａｌ／ｈ未満の弱燃焼量で安定した性能が出るような器具が開発されており、小流量判定手段５で所定流量以下を検出すると使用時間の制限時間を使用時間判定手段４に設定し制限時間が経過すると遮断手段２に遮断信号を出力しガス供給を停止すると共に、第２の通報手段１３より遮断通知信号を電文などで通報する。第１及び第２の通報手段１２，１３はガス需要家に遮断通報信号を出力したり、或いは電話回線などを介してガス事業者のセンタに遮断通知を行う。それにより事業者が保安の為の出動をしたり、或いはセンタより器具閉栓等確認後遮断手段２の開制御する通信信号を送り、安全使用状態を回復することができる。
【００５４】
もし流量検出手段１で検出した流量が５００ｋｃａｌ／ｈ以上の場合、使用時間判定手段４で流量区分が判定され、使用時間判定手段４で流量域に応じ使用時間遮断の制限時間が設定されカウントされる。制限時間が経過すると遮断手段２を駆動しガス供給を停止する。
【００５５】
このようにして需要家が煮炊き等でガス器具を使用する場合、調理手順でとろ火或いは弱火といった煮込みを行うプロセスがあり使用流量値は極めて小さく、その使用流量を流量検出手段１で検出しその流量値が通常の使用時間遮断の対象とならない小さい流量の場合でも、小流量判定手段５で境界流量以下の小流量を検出時使用時間判定手段４に制限時間を設定して使用時間を監視し、第１の通報手段１２でガス事業者やガス需要家に微少流量での使用開始を通知する。この通知により時々ガス事業者より確認の電話などを需要家に対し行える。しかしその後確認しても需要家が最悪忘れ制限時間の所定時間が経過したら遮断することにより、需要家が鍋をガステーブルにかけたまま、洗濯などの他家事に専念し鍋を焦がすような異常使用状態なるのを防止すると共に、第２の通報手段１３でガス事業者のセンタに通報し最終安全をとれたことがわかる。特に天ぷらなどを揚げている最中に長時間電話等に没頭され蒸発した油に引火して火災になることなく、又ガス事業者の保安センタに遮断通知通信信号を出力することにより、直接かけつけ保安対策がとれたり、極めて安全性や信頼性が向上する。
【００５６】
（実施例５）
図５は本発明の第５の実施例のガス遮断装置である。図５において、図１、図２、図３、図４及び図６と同一機能を有する構成要素には同一符号を付し説明は省略する。
【００５７】
図５は本発明の第５の実施例のガス遮断装置で、１４は制限時間設定手段で、小流量監視手段８へ設定する使用時間の通常使用の制限時間と異常使用の制限時間とを有し、小流量監視手段８に設定する。小流量監視手段８で、流量検出手段１で検出した流量値と境界流量記憶手段３に格納された使用時間遮断の流量区分毎の最小の境界流量値、例えば５００ｋｃａｌ／ｈと比較しどの流量区分に属さない最小流量５００ｋｃａｌ／ｈ未満を検出すると、器具の通常使用時間の設定値を出力し、更に器具を使用しつづけた場合、器具異常使用の制限時間を出力する。通常使用の時間経過時、警告手段１０に警告信号を出力し、ガス事業者に通常器具使用の限界に達したことを通知し、事業者より需要家に安全確認の通報を行う。それでも需要家が何らかの対応を怠っても異常使用の制限時間で器具使用の使用時間監視を行い、使用時間経過時遮断出力を行い、鍋がこげてもうもうたる煙りが出るのを防止する。
【００５８】
次に上記構成の動作を説明する。ガス遮断装置はガス需要家のガス器具使用状態を監視し、異常な長時間使用に達していないかどうかを判定する。ガス需要家の保有ガス器具で、ガステーブル、ガスストーブ等調理や、住環境の快適な室温制御に大燃焼量から、小燃焼量へ自動制御、或いは手動で調節可能な器具が増加すると共に、性能が向上してきている。このようなガス器具の使用状態を流量検出手段１で検出する。流量検出手段１で給湯器等の大流量域から、ガステーブルやストーブ等の小流量迄調節できる器具の流量域まで計測する。特にガスストーブ等長時間暖房するために通常の使い勝手と、もし万が一ガス漏れを起こした場合爆発事故を起こさないように使用時間の制限時間が決められている。その為に全流量域を１３区分に区分し、各々の流量区分毎遮断時間を設定するがその流量区分毎の境界流量が境界流量記憶手段３に格納されている。
【００５９】
そして流量検出手段１で流量検出すると使用時間判定手段４で、検出流量と境界流量記憶手段３の境界流量とを比較し、どの流量区分かを判定する。流量が５００ｋｃａｌ／ｈ未満の場合、境界流量記憶手段３では使用時間遮断の対象外となるが、小流量監視手段８の境界流量以下かどうかを確認し、使用時間の制限時間を設定し使用時間をカウント開始する。この時、制限時間設定手段１４は、器具の通常使用時間の制限時間をまず設定する。即ちガス需要家が５００ｋｃａｌ／ｈ未満の流量、弱燃焼量で器具使用する場合、調理ならば煮物など、或いは暖房器具ならば自動温度調節で安定燃焼の場合である。こうした小流量域で器具を使用する場合制限時間は前述の器具の使い方より通常使用の制限時間が想定されており、使用時間判定手段４設定される。ガステーブル等の調理器具の性能が向上し５００ｋｃａｌ／ｈ未満の弱燃焼量で安定した性能が出るような器具が開発されており、通常小流量監視手段５で所定流量以下を検出すると使用時間の制限時間を使用時間判定手段４に設定し制限時間が経過すると警告手段１０に警告信号が出力される。この時点でガス事業者は需要家に煮物などで器具を長く使用し続けていないか安全確認が行える。遮断予告の場合、遮断直前であり器具の異常な長時間使用であり、煮物の鍋がこげていたりする。警告時間はこのような事態が起きる前に需要家に対応通知する。
【００６０】
更に事業者より警告信号に基づき器具安全使用の限界通知をしても需要家が対応しなくてそのまま継続使用された場合、制限時間設定手段１４より最終の制限時間が小流量監視手段８に設定され時間監視する。制限時間が経過すると遮断手段２に遮断信号を出力しガス供給を停止すると共に、電話回線などを介してガス事業者のセンタに遮断通知を行う。それにより事業者が保安の為の出動をしたり、或いはセンタより器具閉栓等確認後遮断手段２の開制御する通信信号を送り、安全使用状態を回復することができる。
【００６１】
もし流量検出手段１で検出した流量が５００ｋｃａｌ／ｈ以上の場合、使用時間判定手段４で流量区分が判定され、使用時間判定手段４で流量域に応じ使用時間遮断の制限時間が設定されカウントされる。制限時間が経過すると遮断手段２を駆動しガス供給を停止する。
【００６２】
このようにして需要家が煮炊き等でガス器具を使用する場合、調理手順でとろ火或いは弱火といった煮込みを行うプロセスがあり使用流量値は極めて小さく、その使用流量を流量検出手段１で検出しその流量値が通常の使用時間遮断の対象とならない小さい流量の場合でも、小流量監視手段８で境界流量以下の小流量を検出時制限時間設定手段１４より器具の通常使用の制限時間を設定し使用時間を監視し、経過時警告手段１０でガス事業者やガス需要家に微少流量での安全使用経過通知を行い、器具の停止或いは器具の使い方見直しなどの対応処置を需要家に通知する。この通知によりガス需要家が器具使用しているのを忘れていた場合、器具停止などの対応が取れ、鍋を焦がしたりするのを防止することができる。
【００６３】
しかしその後確認しても需要家が最悪忘れ制限時間の所定時間が経過したら遮断することにより、需要家が鍋をガステーブルにかけたまま、洗濯などの他家事に専念し鍋を焦がすような異常使用状態なるのを防止すると共に、第２の通報手段１３でガス事業者のセンタに通報し最終安全をとれたことがわかる。特に天ぷらなどを揚げている最中に長時間電話等に没頭され蒸発した油に引火して火災になることなく、又ガス事業者の保安センタに遮断通知通信信号を出力することにより、直接かけつけ保安対策がとれたり、極めて安全性や信頼性が向上する。
【図面の簡単な説明】
【００６４】
【図１】本発明の第１の実施例のガス遮断装置の制御ブロック図
【図２】本発明の第２の実施例のガス遮断装置の制御ブロック図
【図３】本発明の第３の実施例のガス遮断装置の制御ブロック図
【図４】本発明の第４の実施例のガス遮断装置の制御ブロック図
【図５】本発明の第５の実施例のガス遮断装置の制御ブロック図
【図６】従来のガス遮断装置の制御ブロック図
【符号の説明】
【００６５】
１  流量検出手段
２  遮断手段
３  境界流量記憶手段
４  使用時間判定手段
５  小流量判定手段
７  下限流量判定手段
８  小流量監視手段
９  切替手段
１０  警告手段
１１  通信設定手段
１２  第１の通報手段（報知手段）
１３  第２の通報手段（報知手段）
１４  制限時間設定手段
【図１】
2005077198.tif 000004
【図２】
2005077198.tif 000005
【図３】
2005077198.tif 000006
【図４】
2005077198.tif 000007
【図５】
2005077198.tif 000008
【図６】
2005077198.tif 000009